(57)【特許請求の範囲】
【請求項１】
ケーシング(１)内に前面熱交換部(２)と背面熱交換部(３)とが配置された空気調和機の室内ユニットにおいて、
上記前面熱交換部(２)の有効長よりも上記背面熱交換部(３)の有効長が短く、かつ、上記背面熱交換部(３)の両側端が上記前面熱交換部(２)の両側端よりも中央側に位置しており、
上記背面熱交換部(３)の側方の一方に配管処理スペース(７)を形成し、
上記背面熱交換部(３)の側方の他方に空気搬送用ダクト立ち上げ部(Ｓ3)を形成したことを特徴とする空気調和機の室内ユニット。
【請求項２】
請求項１に記載の空気調和機の室内ユニットにおいて、
上記前面熱交換部(２)および上記背面熱交換部(３)に冷媒連絡配管(１１)を接続するための配管立ち上げ部(Ｓ1)を上記配管処理スペース(７)に配置したことを特徴とする空気調和機の室内ユニット。
【請求項３】
請求項１または２に記載の空気調和機の室内ユニットにおいて、
上記前面熱交換部(２)および上記背面熱交換部(３)に冷媒連絡配管(１１)を接続するための配管分配処理部(Ｓ2)を上記配管処理スペース(７)に配置したことを特徴とする空気調和機の室内ユニット。
【請求項４】
ケーシング(２１)内に前面熱交換部(２２)と背面熱交換部(２３)とが配置された空気調和機の室内ユニットにおいて、
上記背面熱交換部(２３)の有効長よりも上記前面熱交換部(２２)の有効長が短く、かつ、上記前面熱交換部(２２)の両側端が上記背面熱交換部(２３)の両側端よりも中央側に位置しており、
上記前面熱交換部(２２)の側方の一方に配管処理スペース(２７)を形成し、
上記前面熱交換部(２２)の側方の他方に空気搬送用ダクト立ち上げ部(Ｓ13)を形成したことを特徴とする空気調和機の室内ユニット。
【請求項５】
請求項４に記載の空気調和機の室内ユニットにおいて、
上記背面熱交換部(２３)および上記背面熱交換部(３)に冷媒連絡配管(１１)を接続するための配管立ち上げ部(Ｓ11)を上記配管処理スペース(２７)に配置し、
上記背面熱交換部(２３)および上記背面熱交換部(３)に冷媒連絡配管(１１)を接続するための配管分配処理部(Ｓ12)を上記配管処理スペース(２７)に配置したことを特徴とする空気調和機の室内ユニット。
【発明の詳細な説明】
【０００１】
【発明の属する技術分野】
この発明は、空気調和機の室内ユニットに関する。
【０００２】
【従来の技術】
従来、空気調和機の室内ユニットとしては、有効長が同一の前面熱交換部と背面熱交換部とをくの字状に折り曲げた状態でケーシング内に配置したものがある。上記ケーシング内に前面熱交換部および背面熱交換部の下流側に室内ファンを配置して、室内ファンにより吸込口から前面熱交換部および背面熱交換部を介して吸い込んだ空気を吹出通路を介して吹出口から室内に吹き出す。
【０００３】
【発明が解決しようとする課題】
ところが、上記空気調和機の室内ユニットでは、前面熱交換部,背面熱交換部に冷媒連絡配管を接続するための配管立ち上げ部や配管分配処理部のスペースがケーシングの側部に必要なため、前面熱交換部,背面熱交換部の横幅をケーシングの横幅よりも上記スペース分だけ短くしなければならず、ケーシングの全幅を熱交換に有効に利用できないという欠点がある。
【０００４】
そこで、この発明の目的は、配管立ち上げ部や配管分配処理部のスペースを確保すると共に、ケーシングの略全幅を熱交換に有効に利用できる空気調和機の室内ユニットを提供することにある。
【０００５】
【課題を解決するための手段】
上記目的を達成するため、請求項１の空気調和機の室内ユニットは、
ケーシング内に前面熱交換部と背面熱交換部とが配置された空気調和機の室内ユニットにおいて、
上記前面熱交換部の有効長よりも上記背面熱交換部の有効長が短く、かつ、上記背面熱交換部の両側端が上記前面熱交換部の両側端よりも中央側に位置しており、
上記背面熱交換部の側方の一方に配管処理スペースを形成し、
上記背面熱交換部の側方の他方に空気搬送用ダクト立ち上げ部を形成したことを特徴とする。
【０００６】
上記請求項１の空気調和機の室内ユニットによれば、上記前面熱交換部の有効長よりも背面熱交換部の有効長を短くして、背面熱交換部の側方に配管処理スペースを形成する。そうすることによって形成された配管処理スペースに、前面熱交換部,背面熱交換部に冷媒連絡配管を接続するための配管立ち上げ部や配管分配処理部を配置できるから、上記前面熱交換部をケーシングの横幅いっぱいに広げることができ、ケーシングの略全幅を熱交換に有効に利用できる。
また、上記前面熱交換部の有効長よりも背面熱交換部の有効長を短くして、背面熱交換部の側方に空気搬送用ダクト立ち上げ部を形成することによって、その空気搬送用ダクト立ち上げ部に外部との換気空気等を上下方向に搬送する空気搬送用ダクトを立ち上げることができ、前面熱交換部を広げる妨げにならない。したがって、上記前面熱交換部をケーシングの横幅いっぱいに広げることができ、ケーシングの略全幅を熱交換に有効に利用できる。
【０００７】
また、請求項２の空気調和機の室内ユニットは、請求項１の空気調和機の室内ユニットにおいて、上記前面熱交換部および上記背面熱交換部に冷媒連絡配管を接続するための配管立ち上げ部を上記配管処理スペースに配置したことを特徴としている。
【０００８】
上記請求項２の空気調和機の室内ユニットによれば、上記前面熱交換部,背面熱交換部に冷媒連絡配管を接続するための配管立ち上げ部を上記配管処理スペースに配置したので、上記配管立ち上げ部が上記前面熱交換部の有効長を広げる妨げにならない。
【０００９】
また、請求項３の空気調和機の室内ユニットは、請求項１または２の空気調和機の室内ユニットにおいて、上記前面熱交換部および上記背面熱交換部に冷媒連絡配管を接続するための配管分配処理部を上記配管処理スペースに配置したことを特徴としている。
【００１０】
上記請求項３の空気調和機の室内ユニットによれば、上記前面熱交換部,背面熱交換部に冷媒連絡配管を接続するための分流器や合流器を有する配管分配処理部を上記配管処理スペースに配置したので、上記配管分配処理部が上記前面熱交換部の有効長を広げる妨げにならない。
【００１１】
【００１２】
【００１３】
また、請求項４の空気調和機の室内ユニットは、
ケーシング内に前面熱交換部と背面熱交換部とが配置された空気調和機の室内ユニットにおいて、
上記背面熱交換部の有効長よりも上記前面熱交換部の有効長が短く、かつ、上記前面熱交換部の両側端が上記背面熱交換部の両側端よりも中央側に位置しており、
上記前面熱交換部の側方の一方に配管処理スペースを形成し、
上記前面熱交換部の側方の他方に空気搬送用ダクト立ち上げ部を形成したことを特徴とする。
【００１４】
上記請求項４の空気調和機の室内ユニットによれば、上記背面熱交換部の有効長よりも前面熱交換部の有効長を短くして、前面熱交換部の側方に、配管処理スペースまたは空気搬送用ダクト立ち上げ部の少なくとも配管処理スペースを形成する。そうすることによって前面熱交換部の側方に形成された配管処理スペースに、前面熱交換部,背面熱交換部に冷媒連絡配管を接続するための配管立ち上げ部や配管分配処理部を配置できる。さらに、上記前面熱交換部の側方に空気搬送用ダクト立ち上げ部を形成した場合、その空気搬送用ダクト立ち上げ部に、外部との換気空気等を上下方向に搬送する空気搬送用ダクトを立ち上げることができる。したがって、上記配管立ち上げ部,配管分配処理部および空気搬送用ダクトが背面熱交換部を広げる妨げにならず、背面熱交換部をケーシングの横幅いっぱいに広げることができ、ケーシングの略全幅を熱交換に有効に利用できる。
また、請求項５の空気調和機の室内ユニットは、請求項４の空気調和機の室内ユニットにおいて、
上記背面熱交換部および上記背面熱交換部に冷媒連絡配管を接続するための配管立ち上げ部を上記配管処理スペースに配置し、
上記背面熱交換部および上記背面熱交換部に冷媒連絡配管を接続するための配管分配処理部を上記配管処理スペースに配置したことを特徴とする。
【００１５】
【発明の実施の形態】
以下、この発明の空気調和機の室内ユニットを図示の実施の形態により詳細に説明する。
【００１６】
（第１実施形態）
図１はこの発明の第１実施形態の空気調和機の室内ユニットの概略上面図であり、図２は上記室内ユニットの概略側面図である。図１に示すように、前面熱交換部２と背面熱交換部３とをくの字形状に折り曲げた状態でケーシング１内に配置している。上記前面熱交換部２と背面熱交換部３は、複数のフィン板(図示せず)を所定の間隔をあけて互いに平行に配置し、その複数のフィン板に複数の伝熱管８を貫通している。また、図２に示すように、上記ケーシング１内に前面熱交換部２,背面熱交換部３の下流側に室内ファン４を配置している。上記室内ファン４によって、前面側および上面側から前面熱交換部２,背面熱交換部３を介して吸い込まれた空気は、吹出通路１０を通って吹出口１３から室内に吹き出す。上記吹出通路１０の背面と底フレーム５の裏面との間に形成された空間６に冷媒連絡配管１１,ドレインホース１２を配置している。
【００１７】
上記空気調和機の室内ユニットでは、図１に示すように、ケーシング１の全幅Ｌ1に対して、前面熱交換部２の有効長をＬ2(＜Ｌ1)、背面熱交換部３の有効長をＬ3(＜Ｌ2)としている。そして、上記ケーシング１内の背面熱交換部３の右側に配管処理スペース７を形成し、その配管処理スペース７に、前面熱交換部２および背面熱交換部３に冷媒連絡配管１１を接続するための配管立ち上げ部Ｓ1および配管分配処理部Ｓ2を配置している。上記配管分配処理部Ｓ2は分流器,合流器等を有している。一方、上記ケーシング１内の背面熱交換部３の左側に、外部との換気空気をケーシング１内の上下方向に搬送するための空気搬送用ダクト立ち上げ部Ｓ3を形成している。なお、換気機能を有しない空気調和機の室内ユニットでは、空気搬送用ダクト立ち上げ部はなくともよい。
【００１８】
このように、上記前面熱交換部２の有効長Ｌ2よりも背面熱交換部３の有効長Ｌ3を短くすることによって、背面熱交換部３の右側方に形成された配管処理スペース７に配管立ち上げ部Ｓ1や配管分配処理部Ｓ2を配置できるから、前面熱交換部２をケーシング１の横幅いっぱいに広げて、ケーシング１の全幅Ｌ1を熱交換に有効に利用することができる。したがって、ケーシングの横幅寸法が同じ従来の室内ユニットに比べて、より大きな熱交換器を前面側に搭載することができ、熱交換性能を向上できる。
【００１９】
また、上記前面熱交換部２,背面熱交換部３に冷媒連絡配管１１を接続するための配管立ち上げ部Ｓ1,配管分配処理部Ｓ2を配管処理スペース７に配置したので、配管立ち上げ部Ｓ1,配管分配処理部Ｓ2が前面熱交換部２の有効長を広げる妨げにならない。
【００２０】
（第２実施形態）
図３はこの発明の第２実施形態の空気調和機の室内ユニットの概略上面図である。この空気調和機の室内ユニットは、熱交換器の有効長と配管処理スペースおよび空気搬送用ダクト立ち上げ部を除いて第１実施形態の空気調和機の室内ユニットと同様の構成をしている。
【００２１】
上記空気調和機の室内ユニットでは、図３に示すように、ケーシング２１の全幅Ｌ11に対して、前面熱交換部２２の有効長をＬ12(＜Ｌ11)、背面熱交換部２３の有効長をＬ13(＞Ｌ12)としている。そして、上記ケーシング２１内の前面熱交換部２２の右側に配管処理スペース２７を形成し、その配管処理スペース２７に、前面熱交換部２２および背面熱交換部２３に冷媒連絡配管を接続するための配管立ち上げ部Ｓ11および配管分配処理部Ｓ12を配置している。上記配管分配処理部Ｓ12は分流器,合流器等を有している。一方、上記ケーシング２１内の前面熱交換部２３の左側に、外部との換気空気をケーシング２１内の上下方向に搬送するための空気搬送用ダクト立ち上げ部Ｓ13を形成している。なお、換気機能を有しない空気調和機の室内ユニットでは、空気搬送用ダクト立ち上げ部はなくともよい。
【００２２】
このように、上記背面熱交換部２３の有効長Ｌ13よりも前面熱交換部２２の有効長Ｌ12を短くすることによって、前面熱交換部２２の右側方に形成された配管処理スペース２７に配管立ち上げ部Ｓ11や配管分配処理部Ｓ12を配置できるから、背面熱交換部２３をケーシング２１の横幅いっぱいに広げて、ケーシング２１の全幅Ｌ11を熱交換に有効に利用することができる。したがって、ケーシングの横幅寸法が同じ従来の室内ユニットに比べて、より大きな熱交換器を前面側に搭載することができ、熱交換性能を向上できる。
【００２３】
上記第１,第２実施形態では、前面熱交換部２(２２)と背面熱交換部３(２３)とは別体であったが、前面熱交換部と背面熱交換部とを一体にしたものでもよいのは勿論である。
【００２４】
また、上記第１,第２実施形態では、配管立ち上げ部Ｓ1(Ｓ11)および配管分配処理部Ｓ2(Ｓ12)を配管処理スペース７(２７)に配置した空気調和機の室内ユニットについて説明したが、配管立ち上げ部または配管分配処理部の一方のみを配管処理スペースに配置した空気調和機の室内ユニットにこの発明を適用してもよい。
【００２５】
また、上記第１実施形態では、前面熱交換部２の有効長よりも上記背面熱交換部３の有効長を短くして、背面熱交換部３の側方に配管処理スペース７を形成したが、配管処理スペースは、前面熱交換部および背面熱交換部の側方に形成し、有効長を短くした背面熱交換部の他方の側方に空気搬送用ダクト立ち上げ部を形成してもよい。
【００２６】
さらに、上記第２実施形態では、長背面熱交換部２３の有効長よりも前面熱交換部２２の有効長を短くして、前面熱交換部２２の一方の側方に配管処理スペース２７を形成したが、配管処理スペースは、前面熱交換部および背面熱交換部の側方に形成し、有効長を短くした前面熱交換部の他方の側方に空気搬送用ダクト立ち上げ部を形成してもよい。
【００２７】
【発明の効果】
以上より明らかなように、請求項１の発明の空気調和機の室内ユニットは、ケーシング内に前面熱交換部と背面熱交換部とが配置された空気調和機の室内ユニットにおいて、上記前面熱交換部の有効長よりも背面熱交換部の有効長が短く、かつ、上記背面熱交換部の両側端が上記前面熱交換部の両側端よりも中央側に位置しており、背面熱交換部の側方の一方に配管処理スペースを形成し、上記背面熱交換部の側方の他方に空気搬送用ダクト立ち上げ部を形成したものである。
【００２８】
したがって、請求項１の発明の空気調和機の室内ユニットによれば、上記前面熱交換部の有効長よりも背面熱交換部の有効長を短くすることによって形成された配管処理スペースに、前面熱交換部,背面熱交換部に冷媒連絡配管を接続するための配管立ち上げ部や配管分配処理部を配置できるから、上記前面熱交換部の有効長をケーシングの横幅に可能な限り広げることができ、ケーシングの略全幅を熱交換に有効に利用することができる。
また、上記前面熱交換部の有効長よりも背面熱交換部の有効長を短くすることによって形成された空気搬送用ダクト立ち上げ部に、外部との換気空気等を上下方向に搬送する空気搬送用ダクトを立ち上げることができるから、上記前面熱交換部の有効長をケーシングの横幅に可能な限り広げることができ、ケーシングの略全幅を熱交換に有効に利用することができる。
【００２９】
また、請求項２の発明の空気調和機の室内ユニットによれば、請求項１の空気調和機の室内ユニットにおいて、上記前面熱交換部,背面熱交換部に冷媒連絡配管を接続するための配管立ち上げ部を上記配管処理スペースに配置したので、上記配管立ち上げ部が前面熱交換部の有効長を広げるのを妨げないようにできる。
【００３０】
また、請求項３の発明の空気調和機の室内ユニットによれば、請求項１または２の空気調和機の室内ユニットにおいて、上記前面熱交換部,背面熱交換部に冷媒連絡配管を接続するための配管分配処理部を上記配管処理スペースに配置したので、上記配管分配処理部が前面熱交換部の有効長を広げるのを妨げないようにできる。
【００３１】
【００３２】
【００３３】
また、請求項４の発明の空気調和機の室内ユニットは、ケーシング内に前面熱交換部と背面熱交換部とが配置された空気調和機の室内ユニットにおいて、上記背面熱交換部の有効長よりも前面熱交換部の有効長が短く、かつ、上記前面熱交換部の両側端が上記背面熱交換部の両側端よりも中央側に位置しており、前面熱交換部の側方の一方に配管処理スペースを形成し、前面熱交換部の側方の他方に空気搬送用ダクト立ち上げ部を形成したものである。
【００３４】
したがって、請求項４の発明の空気調和機の室内ユニットによれば、上記背面熱交換部の有効長よりも前面熱交換部の有効長を短くして、前面熱交換部の側方に配管処理スペースを形成することによって、その配管処理スペースに前面熱交換部,背面熱交換部に冷媒連絡配管を接続するための配管立ち上げ部や配管分配処理部を配置でき、また、前面熱交換部の側方に空気搬送用ダクト立ち上げ部に形成することによって、その空気搬送用ダクト立ち上げ部に外部との換気空気等を上下方向に搬送する空気搬送用ダクトを立ち上げることができる。したがって、上記背面熱交換器の有効長をケーシングの横幅に可能な限り広げることができ、ケーシングの略全幅を熱交換に有効に利用することができる。
【図面の簡単な説明】
【図１】  図１はこの発明の第１実施形態の空気調和機の室内ユニットの上面図である。
【図２】  図２は図１に示す室内ユニットを右側方から見た概略断面図である。
【図３】  図３はこの発明の第２実施形態の空気調和機の室内ユニットの上面図である。
【符号の説明】
１,２１…ケーシング、２,２２…前面熱交換部、
３,２３…背面熱交換部、４…室内ファン、
５…底フレーム、６…空間、
７,２７…配管処理スペース、８…伝熱管、
１０…吹出通路、１１…冷媒連絡配管、
１２…ドレインホース、１３…吹出口、
Ｓ1,Ｓ11…配管立ち上げ部、Ｓ2,Ｓ12…配管分配処理部、
Ｓ3,Ｓ13…空気搬送用ダクト立ち上げ部。
【図１】
0004296649.tif 000002
【図２】
0004296649.tif 000003
【図３】
0004296649.tif 000004